【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  微粒子を含むガスの処理装置であって、コロナ放電を利用する少なくとも一つの電気式フィルタを具備し、該電気式フィルタ長手方向に延びるハウジングと、
該ハウジング内に位置し且つ長手方向に延びると共に両端が当該電気式フィルタの入口（２２）と出口（２３）とに隣接するガス通路（２８）と、
長手方向に延び且つ上記ガス通路のほぼ中央に位置する放射体（３２、１３４’）と、
上記ガス通路と上記ハウジングとの間に位置し且つ長手方向に延び、ガスに含まれる微粒子を捕獲する場所となる複数のキャビティを有する収集対（２４、１４０’）とを有する処理装置において、
上記放射対が長手方向に延びるガス通路を横断する向きに配置された複数の鋸歯状板（３２、１３４’）を有することを特徴とする処理装置。
【請求項２】  上記鋸歯状板が安定な高電圧を供給する回路に接続された星型部材で構成されることを特徴とする請求項１に記載の処理装置。
【請求項３】  上記収集体が金属メッシュで構成されたセパレータを有することを特徴とする請求項１または２に記載の処理装置。
【請求項４】  上記セパレータが円筒形であり、該セパレータは円筒形の収集体の軸線に沿って並ぶ放射体の鋸歯状板を包囲することを特徴とする請求項３に記載の処理装置。
【請求項５】  上記放射体と上記収集体が支持構造体に取付けられ、これら三つを合わせた構造体が当該処理装置の取り外し可能な濾過カートリッジを構成することを特徴とする請求項１〜４のいずれか一つに記載の処理装置。
【請求項６】  鋸歯状板が、長手方向に延びる通路を横断する向きに配置された孔開きワッシャまたは孔開き環状部材（３３）と交互に配置されていることを特徴とする請求項１〜５のいずれか一つに記載の処理装置。
【請求項７】  長手方向に延びるガス通路を横断する方向に延びるガス入口とガス出口とを具備し、上記鋸歯状板が安定な高電圧を供給する回路に接続されたシャフトに支持され、該シャフトは両端がカバーによって保護された絶縁体によって支持されることを特徴とする請求項１〜６のいずれか一つに記載の処理装置。
【請求項８】  孔開き金属板（１３３）の一つの面によって支持される金属製星型部材を有する第二電気式フィルタを具備し、該孔開き金属板が安定な高電圧を供給する回路に接続されると共に金属メッシュから構成される円筒形セパレータ（１３２）の上流に取付けられることを特徴とする請求項１〜７のいずれか一つに記載の処理装置。
【請求項９】  上記電気式フィルタの上流に、モノリス担体を有する酸化触媒（１２０）を具備することを特徴とする請求項１〜８のいずれか一つに記載の処理装置。
【請求項１０】  一つまたは複数の電気式フィルタと、存在すれば酸化触媒（１２０）との上流に位置する物理的フィルタ（１１０）とを具備することを特徴とする請求項１〜９のいずれか一つに記載の処理装置。
【請求項１１】  上記物理的フィルタ（１１０）が多層金属メッシュフィルタ（１１４）を具備し、該メッシュフィルタは処理装置内に進入するガスが必ず通過する通路を画成し、該メッシュフィルタにはガスの温度を上昇させるための電気抵抗器（１１３）が付属することを特徴とする請求項１０に記載の処理装置。
【請求項１２】  酸化用空気の入口および／または清掃用空気の入口（１４１）を具備することを特徴とする請求項１〜１１のいずれか一つに記載の処理装置。
【請求項１３】  上記電気式フィルタ（１３０、１３０'）の下流に吸引手段（１５０）を具備することを特徴とする請求項１〜１２のいずれか一つに記載の処理装置。
【請求項１４】  一つまたは複数の電気式フィルタと、存在すれば酸化触媒（１２０）および／または物理的フィルタ（１１０）とを収容する少なくとも一つの円筒形ハウジングを具備することを特徴とする請求項１〜１３のいずれか一つに記載の処理装置。
【請求項１５】  最終処理フィルタを更に具備する請求項１〜１４のいずれか１つに記載の処理装置。
【請求項１６】  請求項１〜１５のいずれか一つに記載の処理装置を利用する内燃機関を備える発動機の排気ガスを処理する方法。
【請求項１７】  請求項１〜１６のいずれか一つに記載の処理装置を搭載した乗物。
【請求項１８】  特にガスから微粒子を抽出するために行われる微粒子を含むガスの処理方法であって、
ガス流中に乱流を発生させる工程と、
乱流を発生させている最中および／または乱流を発生させる前に、ガス中に含まれた微粒子の電気的状態を特にイオン化によって変化させる工程と、
帯電した微粒子に対して収集領域を分極させることにより、特に収集領域をアースすることにより、帯電した微粒子を収集領域に向かわせる工程と、
収集領域に向かった微粒子を複数のキャビティで捕獲する工程とを具備する処理方法。
【手続補正２】
【補正対象書類名】明細書
【補正対象項目名】００４０
【補正方法】変更
【補正の内容】
【００４０】
これら電気式フィルタ１３０、１３０'はカートリッジとなっているため、各キャップ１６２、１６２'を外した後に各ハウジング１６０、１６０'に取付けたり、各ハウジングから取り出したりするのが容易である。
良好な作動にとって好ましくない背圧に対処するために、処理装置１００が第二電気式フィルタ１３０'の下流であって出口１０３の上流に吸引手段１５０を有するのが好ましい。吸引手段１５０はハウジング１６０、１６０'内を循環する排気ガスを吸引する。吸引手段１５０は発動機１５２からエネルギーを供給される吸引タービン１５１を有する。
図３に示したように、排気ガスの処理装置１００はディーゼル型発動機を搭載した自動車２００の排気ライン上の排気マニホルドとマフラ１７０との間の位置に公知の取付け手段を用いて取付けられる。
電気抵抗器１１３、変圧器ボックス１６３、吸引手段１５０の作動制御は自動車２００に既に搭載された発動機制御システムを用いることによって、あるいは自律的な追加制御システムによって、あるいは既に搭載されたシステムに接続された追加制御システムによって保証される。
【手続補正３】
【補正対象書類名】明細書
【補正対象項目名】００４１
【補正方法】変更
【補正の内容】
【００４１】
このような処理装置１００により、自動車２００の排気ガスは気体状有害成分と粒子状有害成分に関して特に効率的に処理される。さらに、本処理装置１は自動車２００への取付が容易であり、手入れも簡単である。さらに、得られる利点に対する原価が比較的安い。
より一般に、本発明の処理装置は、あらゆる乗物（自動車、船舶など）において、内燃機関（ディーゼル、ガソリン、ガス）を備える発動機のあらゆる種類の排気ガスを処理するのに用いることができる。本処理装置を台車に取付けて修理工場で修理中の自動車の排気ガスを処理したり、さらに、ガスが有害成分を含んでいる地下道に本処理装置を設置したりすることも可能である。
もちろん、本出願は上述して図示した実施形態に限定されるものではなく、本出願には当業者が考えつくあらゆる応用例が含まれる。
特に、モノリス担体を有する酸化触媒は、ペレット担体を有する酸化触媒または他の任意の酸化触媒、例えば、三元触媒容器に変更されてもよいし、あるいは単純に自動車に既に付属している酸化触媒に適用することもできる。
【手続補正４】
【補正対象書類名】図面
【補正対象項目名】図２
【補正方法】変更
【補正の内容】
【図２】
2003509615.tif 000001